(57)【要約】      （修正有）【課題】メモリーカードを収納するためのポケットを備えたカートリッジの形状をしたアタッチメントを提供する。【解決手段】小型メモリカードをこれよりも一回り大きな他のメモリカード収納スペースに収納可能とするためのアタッチメントであって、小型メモリカードの一主面側を載置するための底面と、底面に対して立設され、収納すべき小型メモリカードの側周を囲むための壁と、収納された小型メモリカードを側面側から持上げ取出すため一の壁に設けた取出開口と、取出開口に対面する壁を基部とし小型メモリカードの他の主面を押さえるための舌片と、舌片に対向する底面の部分に設けられた底面開口とからなる。【選択図】図１Ａ
0003151573.tif 000002
【実用新案登録請求の範囲】
【請求項１】
小型メモリカードをこれよりも一回り大きな他のメモリカード収納スペースに収納可能とするためのアタッチメントであって、
小型メモリカードの一主面側を載置するための底面と、
底面に対して立設され、収納すべき小型メモリカードの側周を囲むための壁と、
収納された小型メモリカードを側面側から持上げ取出すため一の壁に設けた取出開口と、
取出開口に対面する壁を基部とし小型メモリカードの他の主面を押さえるための舌片と、
舌片に対向する底面の部分に設けられた底面開口と、
からなるアタッチメント。
【請求項２】
舌片は、基部側から先端側に向けていったん幅狭になったのち、先端に向けて幅広となる形状である請求項１に記載のアタッチメント。
【請求項３】
前記小型メモリカードは主面側からみて平面非対称形状で、一主面に接続端子を配置するものであり、前記側周を囲む壁は、接続端子を配置する面が底面側となるように非対称に立設されている請求項１または２に記載のアタッチメント。
【請求項４】
アタッチメントの外形は、主面側から見た平面視で一回り大きな他のメモリカードの非対称外形と同一である請求項１から３のいずれか一に記載のアタッチメント。
【請求項５】
請求項１から４のいずれか一に記載のアタッチメントまたは前記一回り大きな他のメモリカードを収納するための収納スペースを有するメモリカードケースであって。
前記他のメモリカードを収納するために壁で囲まれた区画を有するメモリカードケース。
【請求項６】
前記区画底面に配置されたメモリカードまたはアタッチメントを配置する方向を示唆するマークを有する請求項５に記載のメモリカードケース。
【考案の詳細な説明】
【技術分野】
【０００１】
本考案は、メモリカードを収納するためのアタッチメントに関する。
【背景技術】
【０００２】
家庭用携帯ゲーム機で使用するＳＤカードで代表されるメモリカードは、家庭用携帯ゲーム機が有するコネクタを介してゲーム機に接続できるようになっている。このメモリカードは主にゲームを途中で中断させた際にその中断状態のデータを記憶しておくものである。また、今日においては家庭用携帯ゲーム機を使用して音楽再生や動画再生を行うためにその音声データや動画データを保存しておくという用途もある。一方、ゲームそのものを実行するソフトウェアや、音楽・動画再生を行うためのソフトウェアは、メモリカードとは異なる形状をしたカートリッジに記憶されている。
【０００３】
ところで、ユーザはこれらのカートリッジやメモリカードを安全に持ち運ぶために、それぞれ専用のケースを入手し、それに収納して持ち運んでいる。それらの専用ケースはそれぞれカートリッジやメモリカードのいずれか一を収納するためだけに設計されたものである。したがって、ユーザは必要に応じて複数の専用ケースを持ち運ぶ必要があった。
【特許文献１】実登３０４２５３９号公報
【考案の開示】
【考案が解決しようとする課題】
【０００４】
しかしながら、ケース自体が容量的にかさばることから複数の専用ケースを携帯することは不便であるという課題があった。さらには、屋外で家庭用携帯ゲーム機を利用するにあたってカートリッジとメモリカードの両者が必要な際にそれぞれ専用ケースを開けて取り出す必要があるという課題もある。
【課題を解決するための手段】
【０００５】
本考案は、メモリカードを収納するためのポケットを備えたカートリッジの形状をしたアタッチメントを提供する。具体的には次のような考案である。
【０００６】
第１の考案は、小型メモリカードをこれよりも一回り大きな他のメモリカード収納スペースに収納可能とするためのアタッチメントであって、小型メモリカードの一主面側を載置するための底面と、底面に対して立設され、収納すべき小型メモリカードの側周を囲むための壁と、収納された小型メモリカードを側面側から持上げ取出すため一の壁に設けた取出開口と、取出開口に対面する壁を基部とし小型メモリカードの他の主面を押さえるための舌片と、舌片に対向する底面の部分に設けられた底面開口とからなるアタッチメントを提供する。
【０００７】
第２の考案は、第１の考案を基本として舌片は、基部側から先端側に向けていったん幅狭になったのち、先端に向けて幅広となる形状であるアタッチメントを提供する。
【０００８】
第３の考案は、第１の考案または第二の考案のいずれかを基本として、前記小型メモリカードは主面側からみて平面非対称形状で、一主面に接続端子を配置するものであり、前記側周を囲む壁は、接続端子を配置する面が底面側となるように非対称に立設されているアタッチメントを提供する。
【０００９】
第４の考案は、第１から第３のいずれか一の考案を基本として、アタッチメントの外形は、主面側から見た平面視で一回り大きな他のメモリカードの非対称外形と同一であるアタッチメントを提供する。
【００１０】
第５の考案は、前記アタッチメントまたは前記一回り大きな他のメモリカードを収納するための収納スペースを有するメモリカードケースであって、前記他のメモリカードを収納するために壁で囲まれた区画を有するメモリカードケースを提供する。
【００１１】
第６の考案は、第５の考案を基本として、前記区画底面に配置されたメモリカードまたはアタッチメントを配置する方向を示唆するマークを有するメモリカードケースを提供する。
【００１２】
本考案により、一つのケースにカートリッジとメモリカードを収納することが可能となる。これにより、複数の専用ケースを所持する必要がなくなるとともに、カートリッジやメモリカードの取り換えが容易になる。
【考案を実施するための最良の形態】
【００１３】
以下に本考案を実施するための最良の形態を説明する。なお、本考案はこれらの実施形態になんら限定されるものではなく、その要旨を逸脱しない範囲において、種々なる態様で実施し得る。
【００１４】
実施形態１は、主に請求項１、３、４について説明する。
【００１５】
実施形態２は、主に請求項２について説明する。
【００１６】
実施形態３は、主に請求項５、６について説明する。
【００１７】
<実施形態１>
<実施形態１  概要>
【００１８】
本アタッチメントは図１Ａに示すようにメモリカードを側面から固定するための壁（０１０２、０１０３、０１０４、０１０５）と、メモリカードを上下から固定するための舌片（０１０８）及び底面（０１０６）とからなるアタッチメントである。
【００１９】
本アタッチメント（０１０１）はアタッチメント（０１０１）の長手方向と平行に小型メモリカード（０１１０）を（図１Ｂ）、アタッチメント（０１０１）が有する舌片（０１０８）の下に滑り込ませるように挿入（図１Ｃ）し、アタッチメント（０１０１）が有する小型メモリカード（０１１０）を収納するスペースに収納する（図１Ｄ）ことを特徴としている。さらに、本発明のアタッチメントはカートリッジが収納できるメモリカードケースにアタッチメントを収納できることを特徴している（図１Ｅ）。
【００２０】
<実施形態１：構成>
【００２１】
≪アタッチメント≫
【００２２】
「アタッチメント」（０１０１）は、小型メモリカードをこれよりも一回り大きな他のメモリカード収納スペースに収納可能とするアタッチメントである。具体的には、図１に示すようなアタッチメントである。本実施形態のアタッチメントは、図２に示すようにその内部に小型メモリカード（０２１０）を収納することが可能となっている。さらには、図３に示すように小型メモリカードよりも一回り大きな他のメモリカードを収納することができるメモリカード収納スペース（０３１０）を有するメモリカードケースに収納することが可能となっている。
【００２３】
本実施形態のアタッチメントの外形は、図４に示すような主面側からみて平面非対称形状で、一主面に接続端子が配置された小型メモリカードであるＳＤカードを収納することを想定して、図５に示すようにＳＤカードより一回り大きな外形となるように設計されている。具体的には、縦３４．８ｍｍ×横３３．０ｍｍ×厚さ３．８ｍｍである。ここで、上記においてアタッチメントの具体的なサイズを示したが、アタッチメントに小型メモリカードを収納するスペースを設けることができるのであれば本実施形態で示した形状及び大きさに限定されない。また、本実施形態のアタッチメントは、各角にＲ面取りを施している。これにより、各角にＲが取られることでユーザがアタッチメントを取り扱う際にユーザに傷をつけないようにすることが可能となる。
【００２４】
小型メモリカードは、本実施形態のアタッチメントが有する、小型メモリカードの一主面を載置する底面（０１０６）とその外周縁に立設された「壁」（０１０２、０１０３、０１０４、０１０５）によって構成されるスペースに収納される。なお、本実施形態では、図４に示すような平面非対称形状で、一主面に接続端子（０４１２）が配置された形態であるＳＤカードを接続端子（０４１２）が配置される面を底面側となるように収納することを想定して設計されている。具体的には、図５に示すように収納する小型メモリカードのサイズに合わせて縦３２．６ｍｍ×横２４．４ｍｍ×厚さ２．１ｍｍの大きさである。
【００２５】
また、本実施形態における「アタッチメント」（０１０１）は、熱硬化樹脂や熱可塑性樹脂等の合成樹脂を用いて射出形成（インジェクション）によって生産できるように一つの部品で構成されるように設計されていることを特徴としている。
【００２６】
≪  底  面  ≫
【００２７】
「底面」（０１０６）は、小型メモリカードの一主面側を載置するための面である。具体的には、「底面」（０１０６）は、収納すべき小型メモリカードより一回り大きな広さを有する面である。本実施形態の「底面」（０１０６）には、後に詳述する「底面開口」（０１０９）が設けられている。また、「底面」（０１０６）の外周縁には壁（０１０２、０１０３、０１０４、０１０５）及び一つの壁に備えられる「取出開口」（０１０７）が設けられている。
【００２８】
ここで、「底面」（０１０６）は、少なくとも小型メモリカードの主面が載置可能な広さを有していればその形状は限らない。また、「底面」（０１０６）は、かならずしも平面である必要はなく、凹凸が設けられる構成であってもよい。
【００２９】
≪  壁  ≫
【００３０】
「壁」（０１０２、０１０３、０１０４、０１０５）は、底面に対して立設され、収納すべき小型メモリカードの側周を囲む。具体的に本実施形態においては、図６の斜線部に示すように収納すべき小型メモリカードの側周を囲むように「底面」（０６０６）に立設された「壁」（０６０２、０６０３、０６０４、０６０５）である。これらの「壁」（０６０２、０６０３、０６０４、０６０５）は、収納される小型メモリカードの厚みよりも少し高い高さを有している。具体的に本実施形態では図５に示すように、２．１ｍｍの高さである。そして、この壁を用いて小型メモリカードの側周を囲むことにより、収納された小型メモリカードを把持して確実に保持する。また、これら壁のいずれか一（０６０５）には、後に詳述する「取出開口」（０１０７）が設けられており、また「取出開口」（０１０７）に対面する壁には後に詳述する「舌片」（０１０８）が設けられている。なお、本実施形態における「壁」は、収納された小型メモリカードの側周すべてと接することでガタつきを防ぐ構成としたが、小型メモリカードがガタつくのを防止することができるのであれば必ずしも側周のすべてと接する必要はない。
【００３１】
また、図７に示すように長手方向の両「壁」の裏面には、空洞（０７１３）が設けられている。裏面に空洞を設けることにより、空洞と垂直方向（０７２０）に対して力がかかる場合に歪みを生じさせることでアタッチメントを弾性変形させることが可能となる。これにより、アタッチメントをメモリカードケースに容易に収納することが可能となる。
【００３２】
ここで、「壁」（０６０２、０６０３、０６０４、０６０５）の小型メモリカードと接する面は、平面である必要はなくその表面に凹凸を設ける構成としてもよい。さらには、壁に発泡スチロールや合成ゴムなどの緩衝材を張付ける構成としてもよい。これにより、収納されたメモリカードを外部から受ける衝撃から守ることが可能となる。
【００３３】
≪  取  出  開  口  ≫
【００３４】
「取出開口」（０１０７）は、収納された小型メモリカードを側面側から持上げ取出すため一の壁に設けられている。「取出開口」（０８０７）は図８の斜線部に示すように、後に詳述する「舌片」（０８０８）が設けられた壁（０８０３）と対面する形で位置している。「取出開口」（０８０７）は、本実施形態では、図７に示すように１８ｍｍ程度の広さである。ここで、「取出開口」（０８０７）は、少なくともユーザがユーザの指を用いて小型メモリカードの側面を持ち上げるのに必要な指の幅だけあればよい。
【００３５】
図９に示すように「取出開口」（０９０７）が設けられた壁において「取出開口」（０９０７）以外の残された壁（０９１１）は、アタッチメントに小型メモリカードを収納した際に、収納された小型メモリカードの側面を係止し、「取出開口」（０９０７）から水平方向にすべりおちたりずれたりすることを防いでいる。
【００３６】
また、「取出開口」（０９０７）以外の残された壁（０９１１）は、他の壁に対して高さが低くなっている。これにより、アタッチメントに小型メモリカードを挿入時にガイドの役割を果たし、アタッチメントに小型メモリカードを容易に挿入することが可能となる。
【００３７】
ここで、本実施形態における「取出開口」（０９０７）以外の残された壁（０９１１）は、２つ備える構成となっているが、「取出開口」（０９０７）から、挿入された小型メモリカードがすべりおちたりしないように係止できるのであれば、２つに限らない。さらには、本実施形態のように長手方向の壁に必ず「取出開口」（０９０７）以外の残された壁（０９１１）を残す必要はない。例えば、図１０のように、「取出開口」が設けられるべき壁を除去し、「取出開口」の中央部に突起を設けることによって小型メモリカードを係止する構成であってもよい。
【００３８】
≪  舌  片  ≫
【００３９】
「舌片」（０１０８）は、取出開口に対面する壁を基部とし、小型メモリカードの他の主面を押さえるために機能する。「舌片」（０１０８）は、アタッチメントに小型メモリカードを収納時、収納された小型メモリカードの底面（０１０６）と接する一主面と反対側の主面を抑える。これにより、アタッチメントが備える、小型メモリカードの主面を抑える「舌片」と小型メモリカードの側周を囲む「壁」とによって収納された小型メモリカードがアタッチメントより離脱するのを防ぐ。さらに「舌片」（０１０８）は、図１１に示すように小型メモリカードを挿脱時には、小型メモリカードを持ち上げると共に「舌片」（０１０８）も上方向に弾性変形するように構成されている。これにより、小型メモリカードの挿脱を行うことを可能としている。
【００４０】
本実施形態では、「舌片」（０１０８）を用いてアタッチメントに収納された小型メモリカードの一主面を抑えることで、アタッチメントの垂直方向に外れることを防ぐ構成としたが、長手方向の壁に爪を備えることで、爪を用いてアタッチメントが外れないようにする構成としてもよい。しかしながら、本実施形態においては、アタッチメントに収納される小型メモリカードの外形が小さい（特に厚さが薄い）場合には、壁に備えられる爪に対して十分な強度を持たせることができないこという課題があることから、舌片を用いることでその課題を解決している。
【００４１】
ここで、「舌片」（０１０８）は、小型メモリカードの他の主面を抑える側に凹凸を構成としてもよいし、さらには緩衝材などを貼り付ける構成であってもよい。
【００４２】
≪  底  面  開  口  ≫
【００４３】
「底面開口」（０１０９）は、舌片に対向する底面の部分に設けられている。この「底面開口」（０１０９）は、図１２に示すように小型メモリカード脱着時に本体裏側の「底面開口」（１２０９）より本体「底面」（１２０６）と接する小型メモリカード（１２１０）の一主面を押し上げるための開口である。これにより、本体に収納された小型メモリカードの脱着を容易に行うことが可能となる。
【００４４】
<実施形態１：効果>
【００４５】
本実施形態のアタッチメントによって、収納物を納めるための専用ケースに収納物とともに小型メモリカードを収納することが可能になる。
【００４６】
≪実施形態２≫
【００４７】
<実施形態２：概要>
【００４８】
実施形態２のアタッチメントは、実施例１のアタッチメントを基本として、舌片が基部側から先端側に向けていったん幅狭になったのち、先端に向けて幅広となる形状であることを特徴とするアタッチメントである。
【００４９】
<実施形態２：構成>
【００５０】
≪舌片≫
【００５１】
「舌片」は、基部側から先端側に向けていったん幅狭になったのち、先端に向けて幅広となる形状をしている。図１３は、本実施形態の「アタッチメント」（１３０１）を上方から見た図である。なお、本図の「アタッチメント」（１３０１）は、その上方に「取出開口」（１３０７）が備えられているものである。
【００５２】
「舌片」（１２０８）は、「取出開口」（１３０７）に対面する壁を基部として備えられている。さらに、本実施形態の「舌片」（１３０８）は、図１３の斜線部にあるようにその形状が、基部側（図下側）から先端側（図上側）に向けていったん幅狭になったのち、先端に向けて幅広となっている。このような形状を採ることにより、小型メモリカード着脱時に舌片の幅狭となった部分がより湾曲しやすくなる。これにより、小型メモリカードの着脱を容易に行うことが可能となる。
【００５３】
<実施形態２：効果>
【００５４】
本実施形態のアタッチメントによって、アタッチメントが有する舌片をより容易に湾曲させることが可能となる。これにより、小型メモリカードの着脱が容易になる。
【００５５】
≪実施形態３≫
【００５６】
<実施形態３：概要>
【００５７】
本実施形態は、本発明のアタッチメント及びアタッチメントと同等の形状であるメモリカードを収納するためのメモリカードケースである。
【００５８】
<実施形態３：構成>
【００５９】
≪メモリカードケース本体≫
【００６０】
「メモリカードケース」は、本発明のアタッチメントと本発明のアタッチメントと同等の形状を有するメモリカードを収納するために壁で囲まれた区画を有するメモリカードケースである。具体的には図１４に示すような、メモリカードケースである。本図のメモリカードケースはメモリカード及びアタッチメントを収納するための壁で囲まれた区画を４つ有している。
【００６１】
それぞれの区画の底面には、メモリカード及びアタッチメントを配置する方向を示唆する「マーク」（１４１５）が刻設されている。この「マーク」（１４１５）は、メモリカード及びアタッチメントがそれぞれの区画に対して正しく収納できるよう使用者に対して示唆するためのマークである。この「マーク」（１４１５）は、収納されるメモリカード及びアタッチメントの形状が左右非対称である場合にその効果を発揮する。ここで、本実施形態の「マーク」（１４１５）は、図１４に示すような形状をしているが、使用者に対して誤解なく示唆できるのであればそれに限らない。
【００６２】
本実施形態のメモリカードケースは、収納されたメモリカード及びアタッチメントが落下するのを防止するために爪（１４１４）が設けられている。この爪（１４１４）は図１５に示すように爪（１５１４）の先端部に突起を有している。収納されたメモリカード及びアタッチメントは、図１５（ａ）に示すようにこの突起と収納されたメモリカード及びアタッチメントとが接触する１点で係止されている。これにより、メモリカードケースから落下することを防いでいる。ここで、本実施形態では、収納されたメモリカード及びアタッチメントと突起とが接触する１点で係止する構成としたが、図１５（ｂ）に示すように爪自体で挟み込むように係止する構成であってもよい。
【００６３】
なお、本実施形態ではメモリカード及びアタッチメントを収納する区画は４つとしたが、実際には、収納する区画は１つである構成であってもよいし複数ある構成であってもよい。また、区画が複数ある場合にはその区画が必ずしも列置される必要はない。
【００６４】
さらには、本実施形態のメモリカードケースは１面にメモリカードおよびアタッチメントを収納する区画を備える構成としたが、裏表の２面に収納する区画を備える構成であってもよい。
【００６５】
本実施形態のメモリカードケースは、プラスチックなどの合成樹脂や、皮革によって作成されたケースに収納する構成であることが好ましい。なぜなら、収納されたメモリカード及びアタッチメントを外部から与えられる衝撃から守ることが可能になるためである。
<実施形態３：効果>
【００６６】
本実施形態のメモリカードケースによって、メモリカード及びアタッチメントを正しく収納することが可能となる。さらには、収納されたアタッチメントから容易にメモリカードを取り出すことが可能となる。
【図面の簡単な説明】
【００６７】
【図１Ａ】本件発明のメモリカードアタッチメントの概念図
【図１Ｂ】実施形態１のメモリカードアタッチメントの概念図１
【図１Ｃ】実施形態１のメモリカードアタッチメントの概念図２
【図１Ｄ】実施形態１のメモリカードアタッチメントの概念図３
【図１Ｅ】実施形態１のメモリカードアタッチメントの概念図４
【図２】実施形態１のメモリカードアタッチメントにおける小型メモリカードを収納した時の一例を示した図
【図３】実施形態１のメモリカードアタッチメントを収納するためのメモリーカードケースの一例を示した図
【図４】実施形態１のメモリカードアタッチメントに収納される小型メモリカードの一例を示した図
【図５】本件発明のメモリカードアタッチメントの設計図の一例を示した図
【図６】実施形態１のメモリカードアタッチメントにおける壁を説明するための図
【図７】実施形態１のメモリカードアタッチメントにおける空洞を説明するための図
【図８】実施形態１のメモリカードアタッチメントにおける取出開口を説明するための図
【図９】実施形態１のメモリカードアタッチメントにおける取出開口以外の残された壁を説明するための図
【図１０】実施形態１のメモリカードアタッチメントにおける収納されたメモリカードを係止するための構成の一例を示した図
【図１１】実施形態１のメモリカードアタッチメントにおける舌片の機能を説明するための図
【図１２】実施形態１のメモリカードアタッチメントにおける底面開口の機能を説明するための図
【図１３】実施形態２のメモリカードアタッチメントにおける特長を示した図
【図１４】実施形態３のメモリカードケースの概念図
【図１５】実施形態３のメモリカードケースにおける爪の機能を説明するための図
【符号の説明】
【００６８】
０１０１  アタッチメント
０１０２  壁
０１０３  壁
０１０４  壁
０１０５  壁（取出開口以外の残された壁を含む）
０１０６  底面
０１０７  取出開口  
０１０８  舌片
０１０９  底面開口
０１１０  小型メモリカード
０１１１  取出開口以外の残された壁
０４１２  接続端子
０７１３  空洞
１４１４  爪
１４１５  マーク
【図１Ａ】
0003151573.tif 000003
【図１Ｂ】
0003151573.tif 000004
【図１Ｃ】
0003151573.tif 000005
【図１Ｄ】
0003151573.tif 000006
【図１Ｅ】
0003151573.tif 000007
【図２】
0003151573.tif 000008
【図３】
0003151573.tif 000009
【図４】
0003151573.tif 000010
【図５】
0003151573.tif 000011
【図６】
0003151573.tif 000012
【図７】
0003151573.tif 000013
【図８】
0003151573.tif 000014
【図９】
0003151573.tif 000015
【図１０】
0003151573.tif 000016
【図１１】
0003151573.tif 000017
【図１２】
0003151573.tif 000018
【図１３】
0003151573.tif 000019
【図１４】
0003151573.tif 000020
【図１５】
0003151573.tif 000021
【手続補正書】
【提出日】平成21年3月19日(2009.3.19)
【手続補正１】
【補正対象書類名】実用新案登録請求の範囲
【補正対象項目名】全文
【補正方法】変更
【補正の内容】
【実用新案登録請求の範囲】
【請求項１】
小型メモリカードをこれよりも一回り大きな他のメモリカード収納スペースに収納可能とするためのアタッチメントであって、
小型メモリカードの一主面側を載置するための底面と、
底面に対して立設され、収納すべき小型メモリカードの側周を囲むための壁と、
収納された小型メモリカードを側面側から持上げ取出すため一の壁に設けた取出開口と、
取出開口に対面する壁を基部とし小型メモリカードの他の主面を押さえるための舌片と、
舌片に対向する底面の部分に設けられた底面開口と、
からなるアタッチメント。
【請求項２】
舌片は、基部側から先端側に向けていったん幅狭になったのち、先端に向けて幅広となる形状である請求項１に記載のアタッチメント。
【請求項３】
前記小型メモリカードは主面側からみて平面非対称形状で、一主面に接続端子を配置するものであり、前記側周を囲む壁は、接続端子を配置する面が底面側となるように非対称に立設されている請求項１または２に記載のアタッチメント。
【請求項４】
アタッチメントの外形は、主面側から見た平面視で一回り大きな他のメモリカードの非対称外形と同一である請求項１から３のいずれか一に記載のアタッチメント。
【請求項５】
請求項１から４のいずれか一に記載のアタッチメントまたは前記一回り大きな他のメモリカードを収納するための収納スペースを有するメモリカードケースであって、
請求項１から４のいずれか一に記載のアタッチメントまたは前記一回り大きな他のメモリカードを収納するために壁で囲まれた区画を有するメモリカードケース。
【請求項６】
前記区画底面に配置されたメモリカードまたはアタッチメントを配置する方向を示唆するマークを有する請求項５に記載のメモリカードケース。
【手続補正書】
【提出日】平成21年4月23日(2009.4.23)
【手続補正１】
【補正対象書類名】実用新案登録請求の範囲
【補正対象項目名】全文
【補正方法】変更
【補正の内容】
【実用新案登録請求の範囲】
【請求項１】
小型メモリカードをこれよりも一回り大きな他のメモリカード収納スペースに収納可能とするためのアタッチメントであって、
小型メモリカードの一主面側を載置するための底面と、
底面に対して立設され、収納すべき小型メモリカードの側周を囲むための壁と、
収納された小型メモリカードを側面側から持上げ取出すため一の壁に設けた取出開口と、
取出開口に対面する壁を基部とし小型メモリカードの他の主面を押さえるための舌片と、
舌片に対向する底面の部分に設けられた底面開口と、
からなるアタッチメント。
【請求項２】
舌片は、基部側から先端側に向けていったん幅狭になったのち、先端に向けて幅広となる形状である請求項１に記載のアタッチメント。
【請求項３】
前記小型メモリカードは主面側からみて平面非対称形状で、一主面に接続端子を配置するものであり、前記側周を囲む壁は、接続端子を配置する面が底面側となるように非対称に立設されている請求項１または２に記載のアタッチメント。
【請求項４】
アタッチメントの外形は、主面側から見た平面視で一回り大きな他のメモリカードの非対称外形と同一である請求項１から３のいずれか一に記載のアタッチメント。
【請求項５】
請求項１から４のいずれか一に記載のアタッチメントまたは請求項１から４のいずれか一に記載のアタッチメントに収納される小型メモリカードより一回り大きな他のメモリカードを収納するための収納スペースを有するメモリカードケースであって、
請求項１から４のいずれか一に記載のアタッチメントまたは請求項１から４のいずれか一に記載のアタッチメントに収納される小型メモリカードより一回り大きな他のメモリカードを収納するために壁で囲まれた区画を有するメモリカードケース。
【請求項６】
前記区画の底面に配置されるメモリカードまたはアタッチメントの配置する方向を示唆するマークを有する請求項５に記載のメモリカードケース。